(57)【要約】【課題】露光ヘッドを備えるドロワユニットに対して、露光ヘッドを避けてドラムカートリッジを着脱できる画像形成装置を提供する。【解決手段】  画像形成装置１は、本体筐体２と、ドラムカートリッジ５Ｋと、現像カートリッジ６Ｋと、ドロワユニット４とを備える。ドロワユニット４は、ドロワフレーム４０と、露光ヘッド１３Ｋとを備える。ドラムカートリッジ５Ｋは、感光ドラム１４Ｋに対して露光ヘッド１３Ｋが位置決めされ、ドロワフレーム４０からの離脱が不能である第１位置と、感光ドラム１４Ｋに対して露光ヘッド１３Ｋの位置決めが解除され、ドロワフレーム４０からの離脱が可能である第２位置と、の間を回動可能である。【選択図】図１０
2019095774.tif 000002
【特許請求の範囲】
【請求項１】
本体筐体と、
感光ドラムを備えるドラムカートリッジと、
前記感光ドラムに供給される現像剤を収容可能な現像カートリッジと、
前記ドラムカートリッジおよび前記現像カートリッジが装着可能であり、前記本体筐体の内にある内部位置と前記本体筐体の外にある外部位置との間を移動方向に移動可能なドロワユニットであって、前記ドラムカートリッジおよび前記現像カートリッジが装着可能なドロワフレームと、前記感光ドラムを露光するための露光ヘッドと、を備えるドロワユニットと、
を備え、
前記ドラムカートリッジは、前記ドロワフレームが前記外部位置にあるときに前記ドロワフレームに装着された状態で、
前記感光ドラムに対して前記露光ヘッドが位置決めされ、前記ドロワフレームからの離脱が不能である第１位置と、
前記感光ドラムに対して前記露光ヘッドの位置決めが解除され、前記ドロワフレームからの離脱が可能である第２位置と、
の間を回動可能であることを特徴とする、画像形成装置。
【請求項２】
前記ドラムカートリッジは、前記感光ドラムの表面を帯電するための帯電器を備え、
前記帯電器の幅は、前記感光ドラムの径に対して、１／３以上、１／２以下であることを特徴とする、請求項１に記載の画像形成装置。
【請求項３】
前記ドラムカートリッジは、ハンドルを備え、
前記露光ヘッドは、前記感光ドラムの回転軸線が延びる軸線方向に延びるボスを有し、
前記ドラムカートリッジは、前記ドラムカートリッジが前記ドロワユニットに装着された状態で前記ボスと接触する接触面を、有し、
前記感光ドラムの前記回転軸線を通り前記ハンドルと交差する第１仮想面と、前記感光ドラムの前記回転軸線を通り前記接触面と交差する第２仮想面とが形成する角度は、９０°以上、１６０°未満であることを特徴とする、請求項１または請求項２に記載の画像形成装置。
【請求項４】
前記ハンドルは、前記ドラムカートリッジおよび前記現像カートリッジが前記ドロワフレームに装着され、前記ドラムカートリッジが前記第１位置に位置した状態で、前記現像カートリッジの下方に位置することを特徴とする、請求項３に記載の画像形成装置。
【請求項５】
前記感光ドラムは、端部にフランジを備え、
前記ドラムカートリッジは、前記感光ドラムの前記フランジを受けるフランジ受け部材を備え、
前記フランジ受け部材は、前記フランジを受ける位置と異なる位置に前記接触面を有することを特徴とする、請求項３または請求項４に記載の画像形成装置。
【請求項６】
前記ドラムカートリッジは、前記感光ドラムの表面を帯電するための帯電器と、第１側壁と、第２側壁と、を備え、
前記露光ヘッドは、ボスを有し、
前記フランジ受け部材は、前記感光ドラムの回転軸線が延びる軸線方向において前記第１側壁と前記第２側壁との間に位置し、前記ボスを前記第１側壁および前記第２側壁に触れさせずに前記接触面へガイドするためのガイド面を有し、
前記ガイド面は、前記移動方向において、前記接触面に対して前記帯電器と反対側に位置する、請求項５に記載の画像形成装置。
【請求項７】
前記ボスは、円柱であることを特徴とする、請求項６に記載の画像形成装置。
【請求項８】
前記ドロワフレームは、前記ドラムカートリッジが前記ドロワフレームに装着された状態で、前記ボスが前記接触面に接触するように前記露光ヘッドを押圧する押圧部材を備えることを特徴とする、請求項６または請求項７に記載の画像形成装置。
【請求項９】
第２感光ドラムを備え、前記ドロワフレームに装着可能な第２ドラムカートリッジであって、前記ドロワフレームに装着された状態で、前記移動方向において、前記ドラムカートリッジと間隔を隔てて並ぶ第２ドラムカートリッジを、さらに備え、
前記ハンドルは、前記ドラムカートリッジおよび前記第２ドラムカートリッジが前記ドロワフレームに装着され、前記ドラムカートリッジが前記第１位置に位置した状態で、前記ドラムカートリッジと前記第２ドラムカートリッジとの間に位置することを特徴とする、請求項３から請求項８のいずれか一項に記載の画像形成装置。
【請求項１０】
前記ドロワフレームは、前記ドラムカートリッジの装着をガイドするドラムガイドと、
前記現像カートリッジの装着をガイドする現像ガイドとを有し、
前記ドラムガイドの一部は、前記感光ドラムの回転軸線が延びる軸線方向において、前記現像ガイドの一部と重なることを特徴とする、請求項１から請求項９のいずれか一項に記載の画像形成装置。
【発明の詳細な説明】
【技術分野】
【０００１】
本発明は、画像形成装置に関する。
【背景技術】
【０００２】
従来、ドラムカートリッジと、現像カートリッジと、ドロワユニットとを備える画像形成装置が知られている。ドラムカートリッジは、感光ドラムを備える。現像カートリッジは、感光ドラムに供給されるトナーを収容する。ドロワユニットは、感光ドラムを露光するための露光ヘッドを備える（下記特許文献１参照）。
【先行技術文献】
【特許文献】
【０００３】
【特許文献１】特開２０１２−１４４０１９号公報
【発明の概要】
【発明が解決しようとする課題】
【０００４】
上記した特許文献１のように、露光ヘッドを備えるドロワユニットに対して、ドラムカートリッジを装着する場合、露光ヘッドを避けて、ドラムカートリッジを着脱する必要がある。
【０００５】
そこで、本開示の目的は、露光ヘッドを備えるドロワユニットに対して、露光ヘッドを避けてドラムカートリッジを着脱できる画像形成装置を提供することにある。
【課題を解決するための手段】
【０００６】
本発明の画像形成装置は、本体筐体と、ドラムカートリッジと、現像カートリッジと、ドロワユニットとを備える。ドラムカートリッジは、感光ドラムを備える。現像カートリッジは、感光ドラムに供給される現像剤を収容可能である。ドロワユニットには、ドラムカートリッジおよび現像カートリッジが装着可能である。ドロワユニットは、本体筐体の内にある内部位置と本体筐体の外にある外部位置との間を移動方向に移動可能である。ドロワユニットは、ドロワフレームと、露光ヘッドとを備える。ドロワフレームには、ドラムカートリッジおよび現像カートリッジが装着可能である。露光ヘッドは、感光ドラムを露光する。
【０００７】
ドラムカートリッジは、ドロワフレームが外部位置にあるときに、ドロワフレームに装着された状態で、第１位置と、第２位置との間を回動可能である。ドラムカートリッジが第１位置にあるとき、感光ドラムに対して露光ヘッドが位置決めされ、ドラムカートリッジは、ドロワフレームからの離脱が不能である。ドラムカートリッジが第２位置にあるとき、感光ドラムに対して露光ヘッドの位置決めが解除され、ドラムカートリッジは、ドロワフレームからの離脱が可能である。
【０００８】
このような構成によれば、ドラムカートリッジを第１位置から第２位置へ回動させることにより、感光ドラムに対する露光ヘッドの位置決めが解除されるとともに、ドロワフレームに対するドラムカートリッジの離脱が可能になる。
【０００９】
これにより、ドラムカートリッジが第２位置に位置した後、露光ヘッドを避けるように、ドラムカートリッジを離脱できる。
【００１０】
また、ドラムカートリッジをドロワフレームに装着する場合、ドラムカートリッジを、露光ヘッドを避けるようにドロワフレームに装着し、第２位置に位置させた後、第１位置へ回動させることにより、露光ヘッドを避けて、ドラムカートリッジを装着できる。
【００１１】
その結果、露光ヘッドを備えるドロワユニットに対して、露光ヘッドを避けてドラムカートリッジを着脱できる。
【発明の効果】
【００１２】
本発明の画像形成装置によれば、露光ヘッドを備えるドロワユニットに対して、露光ヘッドを避けてドラムカートリッジを着脱できる。
【図面の簡単な説明】
【００１３】
【図１】図１は、画像形成装置の概略構成図である。
【図２】図２は、図１に示すドロワユニットが外部位置に位置した状態を示す。
【図３】図３は、図１に示すドラムカートリッジの斜視図である。
【図４】図４は、図３に示すドラムカートリッジのフランジ受け部材を説明するための説明図である。
【図５】図５は、図１に示すドロワユニットの平面図である。
【図６】図６は、図５に示すドロワユニットの側面図である。
【図７】図７は、図５に示すドロワユニットのＡ−Ａ断面図である。
【図８】図８は、ドロワユニットからのドラムカートリッジの離脱を説明する説明図であって、ドラムカートリッジおよび現像カートリッジがドロワユニットに装着された状態を示す。
【図９】図９は、図８に続き、ドロワユニットからのドラムカートリッジの離脱を説明する説明図であって、現像カートリッジがドロワユニットから離脱された状態を示す。なお、ドラムカートリッジは、第１位置に位置する。
【図１０】図１０は、図９に続き、ドロワユニットからのドラムカートリッジの離脱を説明する説明図であって、ドラムカートリッジが第２位置に位置した状態を示す。
【図１１】図１１は、図１０に続き、ドロワユニットからのドラムカートリッジの離脱を説明する説明図であって、ドラムカートリッジが離脱されるときの状態を示す。
【発明を実施するための形態】
【００１４】
１．画像形成装置
図１および図２を参照して、画像形成装置について説明する。
【００１５】
図１に示すように、画像形成装置１は、本体筐体２と、給紙部３と、ドロワユニット４と、複数のドラムカートリッジ５Ｋ、５Ｙ、５Ｍ、５Ｃと、複数の現像カートリッジ６Ｋ、６Ｙ、６Ｍ、６Ｃと、転写ユニット７と、定着器８とを備える。
【００１６】
１．１  本体筐体
本体筐体２は、画像形成装置１の外装を構成する。本体筐体２は、給紙部３と、ドロワユニット４と、複数のドラムカートリッジ５Ｋ、５Ｙ、５Ｍ、５Ｃと、複数の現像カートリッジ６Ｋ、６Ｙ、６Ｍ、６Ｃと、転写ユニット７と、定着器８を収容する。本体筐体２は、開口２Ａを有する。開口２Ａは、ドロワユニット４が内部位置に位置する状態で、定着器８に対して、ドロワユニット４の反対側に位置する。内部位置については、後で説明する。また、本体筐体２は、カバー２Ｂを備える。カバー２Ｂは、開口２Ａを閉鎖する閉位置（図１参照）と、開口２Ａを開放する開位置（図２参照）との間を移動可能である。
【００１７】
１．２  給紙部
給紙部３は、感光ドラム１４Ｃに向かってシートＳを供給するように構成される。シートＳは、例えば、印刷用紙である。感光ドラム１４Ｃについては、後で説明する。給紙部３は、給紙トレイ９と、ピックアップローラ１０と、給紙ローラ１１とを備える。給紙トレイ９は、シートＳを収容するように構成される。ピックアップローラ１０は、給紙トレイ９内のシートＳを給紙ローラ１１に向かって搬送するように構成される。給紙ローラ１１は、ピックアップローラ１０からのシートＳを感光ドラム１４Ｃに向かって搬送するように構成される。
【００１８】
１．３  ドロワユニット
図２に示すように、ドロワユニット４は、カバー２Ｂが開位置に位置する状態で、開口２Ａを介して、内部位置（図１参照）と外部位置（図２参照）との間を移動可能である。内部位置は、ドロワユニット４が本体筐体２の内にあるときの、ドロワユニット４の位置である。外部位置は、ドロワユニット４が本体筐体２の外にあるときの、ドロワユニット４の位置である。ドロワユニット４が内部位置と外部位置との間を移動する方向を、移動方向と定義する。図１に示すように、ドロワユニット４は、複数の露光ヘッド１３Ｋ、１３Ｙ、１３Ｍ、１３Ｃを備える。
【００１９】
複数の露光ヘッド１３Ｋ、１３Ｙ、１３Ｍ、１３Ｃは、移動方向において、互いに間隔を空けて並ぶ。複数の露光ヘッド１３Ｋ、１３Ｙ、１３Ｍ、１３Ｃは、複数のドラムカートリッジ５Ｋ、５Ｙ、５Ｍ、５Ｃがドロワユニット４に装着された状態で、複数の感光ドラム１４Ｋ、１４Ｙ、１４Ｍ、１４Ｃよりも上方に位置する。露光ヘッド１３Ｋは、感光ドラム１４Ｋを露光するように構成される。露光ヘッド１３Ｙは、感光ドラム１４Ｙを露光するように構成される。露光ヘッド１３Ｍは、感光ドラム１４Ｍを露光するように構成される。露光ヘッド１３Ｃは、感光ドラム１４Ｃを露光するように構成される。
【００２０】
１．４  複数のドラムカートリッジ
複数のドラムカートリッジ５Ｋ、５Ｙ、５Ｍ、５Ｃのそれぞれは、ドロワユニット４が外部位置（図２参照）に位置しているときに、ドロワユニット４に装着可能である。複数のドラムカートリッジ５Ｋ、５Ｙ、５Ｍ、５Ｃは、ドロワユニット４に装着された状態で、移動方向において、互いに間隔を隔てて並ぶ。
【００２１】
ドラムカートリッジ５Ｋは、感光ドラム１４Ｋと、帯電器１５Ｋと、クリーニング部材１６Ｋとを備える。
【００２２】
感光ドラム１４Ｋは、ドラムカートリッジ５Ｋがドロワユニット４に装着された状態で、ドロワユニット４の幅方向（図５参照）に延びる回転軸線について回転可能である。ドロワユニット４の幅方向については、後述する。感光ドラム１４Ｋは、回転軸線に沿って延びる。感光ドラム１４Ｋは、円筒形状を有する。
【００２３】
帯電器１５Ｋは、感光ドラム１４Ｋの周面を帯電するように構成される。帯電器１５Ｋが感光ドラム１４Ｋの周面を帯電した後、露光ヘッド１３Ｋが、帯電された感光ドラム１４Ｋの周面を露光することにより、感光ドラム１４Ｋの周面に静電潜像が形成される。帯電器１５Ｋは、ドラムカートリッジ５Ｋがドロワユニット４に装着された状態で、移動方向において、露光ヘッド１３Ｋに対して現像ローラ１７Ｋの反対側に位置する。現像ローラ１７Ｋについては、後で説明する。帯電器１５Ｋは、ドラムカートリッジ５Ｋがドロワユニット４に装着された状態で、感光ドラム１４Ｋの回転方向において、露光ヘッド１３Ｋに対して上流側に位置する。帯電器１５Ｋは、具体的には、帯電ローラである。なお、帯電器１５Ｋは、スコロトロン型の帯電器であってもよい。帯電器１５Ｋの幅は、感光ドラム１４Ｋの径に対して、１／３以上、１／２以下である。具体的には、帯電器１５Ｋが帯電ローラである場合、帯電器１５Ｋの径は、９ｍｍであり、感光ドラム１４Ｋの径は、２４ｍｍである。他にも、帯電器１５Ｋの径が１１ｍｍのとき、感光ドラム１４Ｋの径が２８ｍｍである。また、帯電器１５Ｋの径が７ｍｍのとき、感光ドラム１４Ｋの径が２０ｍｍである。すなわち、帯電器１５Ｋの径は、感光ドラム１４Ｋの径に対して、１／３以上、１／２以下である。そのため、ドラムカートリッジ５Ｋをドロワユニット４に対して着脱するときに、帯電器１５Ｋが露光ヘッド１３Ｋと干渉することを回避しやすい。特に、ドラムカートリッジ５Ｋおよび現像カートリッジ６Ｋが装着されたドロワユニット４が本体筐体２に装着された状態で、感光ドラム１４Ｋの上方に、露光ヘッド１３Ｋが位置し、感光ドラム１４Ｋの下方に、転写ユニット７が位置し、帯電器１５Ｋが、移動方向において、露光ヘッド１３Ｋに対して現像ローラ１７Ｋの反対側に位置する構成において、ドラムカートリッジ５Ｋを、露光ヘッド１３Ｋに対して現像カートリッジ６Ｋと同じ側を通してドロワユニット４対して着脱する場合に、帯電器１５Ｋが露光ヘッド１３Ｋと干渉することを回避しやすい。
【００２４】
クリーニング部材１６Ｋは、感光ドラム１４Ｋの周面をクリーニングするように構成される。クリーニング部材１６Ｋは、ドラムカートリッジ５Ｋがドロワユニット４に装着された状態で、感光ドラム１４Ｋの回転方向において、帯電器１５Ｋに対して上流側に位置する。なお、ドラムカートリッジ５Ｋがクリーニング部材１６Ｋを備えると、さらに帯電器１５Ｋの配置が制限され、帯電器１５Ｋと露光ヘッド１３Ｋとの干渉を回避することが困難となるが、上記したように、帯電器１５Ｋの径が、感光ドラム１４Ｋの径に対して、１／３以上、１／２以下であれば、ドラムカートリッジ５Ｋをドロワユニット４に対して着脱するときに、帯電器１５Ｋが露光ヘッド１３Ｋと干渉することを回避しやすい。
【００２５】
クリーニング部材１６Ｋは、具体的には、クリーニングローラである。クリーニング部材１６Ｋは、感光ドラム１４Ｋの周面に接触する。クリーニング部材１６Ｋの径は、９ｍｍであり、感光ドラム１４Ｋの径は、２４ｍｍである。他にも、クリーニング部材１６Ｋの径が１１ｍｍのとき、感光ドラム１４Ｋの径が２８ｍｍである。また、クリーニング部材１６Ｋの径が７ｍｍのとき、感光ドラム１４Ｋの径が２０ｍｍである。すなわち、クリーニング部材１６Ｋの径は、感光ドラム１４Ｋの径に対して、１／３以上、１／２以下である。なお、クリーニング部材１６Ｋは、クリーニングブレードであってもよい。
【００２６】
なお、ドラムカートリッジ５Ｙは、感光ドラム１４Ｙと、帯電器１５Ｙと、クリーニング部材１６Ｙとを備える。ドラムカートリッジ５Ｍは、感光ドラム１４Ｍと、帯電器１５Ｍと、クリーニング部材１６Ｍとを備える。ドラムカートリッジ５Ｃは、感光ドラム１４Ｃと、帯電器１５Ｃと、クリーニング部材１６Ｃとを備える。ドラムカートリッジ５Ｙ、５Ｍ、５Ｃのそれぞれは、ドラムカートリッジ５Ｋと同じ構造を有し、ドラムカートリッジ５Ｋと同様に説明される。そのため、ドラムカートリッジ５Ｙ、５Ｍ、５Ｃのそれぞれについての説明は、省略される。
【００２７】
１．５  複数の現像カートリッジ
複数の現像カートリッジ６Ｋ、６Ｙ、６Ｍ、６Ｃは、ドロワユニット４が外部位置（図２参照）に位置しているときに、ドロワユニット４に装着可能である。複数の現像カートリッジ６Ｋ、６Ｙ、６Ｍ、６Ｃは、ドロワユニット４に装着された状態で、移動方向において、互いに間隔を隔てて並ぶ。
【００２８】
現像カートリッジ６Ｋは、感光ドラム１４Ｋに供給されるトナーを収容可能である。現像カートリッジ６Ｋは、現像ローラ１７Ｋを備える。
【００２９】
現像ローラ１７Ｋは、現像カートリッジ６Ｋ内のトナーを感光ドラム１４Ｋに供給するように構成される。静電潜像が形成された感光ドラム１４Ｋに現像カートリッジ６Ｋ内のトナーが供給されることにより、静電潜像が現像され、感光ドラム１４Ｋの周面にトナー像が形成される。言い換えると、トナー像は、トナーが現像ローラ１７Ｋから感光ドラム１４Ｋに静電気的に移動することにより、感光ドラム１４Ｋに形成された静電潜像が現像され、感光ドラム１４Ｋの周面に形成される。現像ローラ１７Ｋの一部は、現像カートリッジ６Ｋの内部に収容される。現像ローラ１７Ｋは、ドラムカートリッジ５Ｋおよび現像カートリッジ６Ｋがドロワユニット４に装着された状態で、感光ドラム１４Ｋの回転方向において、露光ヘッド１３Ｋに対して下流側に位置する。現像ローラ１７Ｋは、ドラムカートリッジ５Ｋおよび現像カートリッジ６Ｋがドロワユニット４に装着された状態で、感光ドラム１４Ｋの周面に接触する。
【００３０】
なお、現像カートリッジ６Ｙは、感光ドラム１４Ｙに供給されるトナーを収容可能であり、現像ローラ１７Ｙを備える。現像カートリッジ６Ｍは、感光ドラム１４Ｍに供給されるトナーを収容可能であり、現像ローラ１７Ｍを備える。現像カートリッジ６Ｃは、感光ドラム１４Ｃに供給されるトナーを収容可能であり、現像ローラ１７Ｃを備える。現像カートリッジ６Ｙ、６Ｍ、６Ｃのそれぞれは、現像カートリッジ６Ｋと同じ構造を有し、現像カートリッジ６Ｋと同様に説明される。そのため、現像カートリッジ６Ｙ、６Ｍ、６Ｃのそれぞれについての説明は、省略される。
【００３１】
１．６  転写ユニット
転写ユニット７は、複数のドラムカートリッジ５Ｋ、５Ｙ、５Ｍ、５Ｃが装着されたドロワユニット４が内部位置に位置するときに、複数の感光ドラム１４Ｋ、１４Ｙ、１４Ｍ、１４Ｃの下方に位置する。転写ユニット７は、複数のドラムカートリッジ５Ｋ、５Ｙ、５Ｍ、５Ｃが装着されたドロワユニット４が内部位置に位置するときに、複数の感光ドラム１４Ｋ、１４Ｙ、１４Ｍ、１４Ｃと接触する。転写ユニット７は、給紙部３から供給されたシートＳを定着器８に向かって搬送する。転写ユニット７は、シートＳが複数の感光ドラム１４Ｋ、１４Ｙ、１４Ｍ、１４Ｃのそれぞれと接触するときに、複数の感光ドラム１４Ｋ、１４Ｙ、１４Ｍ、１４Ｃのそれぞれのトナー像をシートＳに転写する。
【００３２】
１．７  定着器
定着器８は、トナー像が転写されたシートＳを加熱および加圧して、シートＳにトナー像を定着させるように構成される。定着器８を通過したシートＳは、本体筐体２の上面に排紙される。
【００３３】
２．ドラムカートリッジの詳細
以下、図３および図４を参照して、ドラムカートリッジ５Ｋについて説明する。
【００３４】
図３に示すように、ドラムカートリッジ５Ｋは、上記した感光ドラム１４Ｋ、帯電器１５Ｋ（図１参照）、クリーニング部材１６Ｋ（図１参照）に加えて、ドラムフレーム３１Ｋと、フランジ受け部材３２Ａ、３２Ｂと、ハンドル３３とを備える。
【００３５】
２．１  ドラムフレーム
ドラムフレーム３１Ｋは、感光ドラム１４Ｋ、帯電器１５Ｋおよびクリーニング部材１６Ｋを支持する。ドラムフレーム３１Ｋは、感光ドラム１４Ｋ、帯電器１５Ｋおよびクリーニング部材１６Ｋを覆う。ドラムフレーム３１Ｋは、軸線方向に延びる。軸線方向は、感光ドラム１４Ｋの回転軸線が延びる方向である。ドラムフレーム３１Ｋは、第１側壁３４Ａと、第２側壁３４Ｂとを有する。すなわち、ドラムカートリッジ５Ｋは、第１側壁３４Ａと、第２側壁３４Ｂとを備える。
【００３６】
図４に示すように、第１側壁３４Ａは、軸線方向におけるドラムフレーム３１Ｋの一端に位置する。第１側壁３４Ａは、貫通穴３５Ａを有する。貫通穴３５Ａには、フランジ受け部材３２Ａの円筒部３７Ａが嵌まる。円筒部３７Ａについては、後で説明する。また、第１側壁３４Ａは、溝３６Ａを有する。溝３６Ａは、フランジ受け部材３２Ａがドラムフレーム３１Ｋに取り付けられた状態で、軸線方向において、フランジ受け部材３２Ａの溝３９Ａと重なる。
【００３７】
第２側壁３４Ｂ（図３参照）は、軸線方向におけるドラムフレーム３１Ｋの他端に位置する。なお、第２側壁３４Ｂは、第１側壁３４Ａと同じ構造を有し、第１側壁３４Ａと同様に説明される。そのため、第２側壁３４Ｂの説明は、省略される。
【００３８】
２．２  フランジ受け部材
フランジ受け部材３２Ａは、感光ドラム１４Ｋのフランジを受ける。詳しくは、感光ドラム１４Ｋは、ドラム本体４１Ｋと、第１フランジ４２Ｋと、第２フランジとを備える。第２フランジは、図示されていない。ドラム本体４１Ｋは、軸線方向に延びる。ドラム本体４１Ｋは、円筒形状を有する。第１フランジ４２Ｋは、軸線方向におけるドラム本体４１Ｋの一端部に取り付けられる。すなわち、感光ドラム１４Ｋは、端部にフランジを備える。第２フランジは、軸線方向におけるドラム本体４１Ｋの他端部に取り付けられる。フランジ受け部材３２Ａは、感光ドラム１４Ｋの第１フランジ４２Ｋを受ける。フランジ受け部材３２Ａは、円筒部３７Ａと、突起３８Ａとを有する。
【００３９】
円筒部３７Ａは、軸線方向に延びる。円筒部３７Ａには、感光ドラム１４Ｋの第１フランジ４２Ｋが嵌まる。また、円筒部３７Ａは、ドラムフレーム３１Ｋの貫通穴３５Ａに嵌まる。これにより、フランジ受け部材３２Ａは、ドラムフレーム３１Ｋに取り付けられる。フランジ受け部材３２Ａがドラムフレーム３１Ｋに取り付けられた状態で、円筒部３７Ａは、貫通穴３５Ａを介して、ドラムフレーム３１Ｋの第１側壁３４Ａよりも突出する。円筒部３７Ａのうち、第１側壁３４Ａよりも突出した部分が、ドラムガイド６２Ｋ（図６参照）に嵌まる。ドラムガイド６２Ｋについては、後で説明する。
【００４０】
突起３８Ａは、円筒部３７Ａの周面から延びる。突起３８Ａは、円筒部３７Ａの径方向に延びる。突起３８Ａは、フランジ受け部材３２Ａがドラムフレーム３１Ｋに取り付けられた状態で、軸線方向において、第１側壁３４Ａと第２側壁３４Ｂ（図３参照）との間に位置する。突起３８Ａは、フランジ受け部材３２Ａがドラムフレーム３１Ｋに取り付けられた状態で、軸線方向において、第１側壁３４Ａとドラム本体４１Ｋとの間に位置する。突起３８Ａは、溝３９Ａを有する。突起３８Ａは、接触面Ｓ１とガイド面Ｓ２とを有する。すなわち、フランジ受け部材３２Ａは、接触面Ｓ１とガイド面Ｓ２とを有する。さらに言い換えると、ドラムカートリッジ５Ｋは、接触面Ｓ１とガイド面Ｓ２とを有する。フランジ受け部材３２Ａに接触面Ｓ１が設けられていることにより、露光ヘッド１３Ｋの感光ドラム１４Ｋに対する位置決め精度の向上を図ることができる。
【００４１】
接触面Ｓ１は、第１フランジ４２Ｋを受ける位置と異なる位置に、位置する。具体的には、接触面Ｓ１は、フランジ受け部材３２Ａにおいて、第１フランジ４２Ｋを受ける円筒部３７Ａと異なる位置に、位置する。言い換えると、フランジ受け部材３２Ａは、第１フランジ４２Ｋを受ける円筒部３７Ａと、接触面Ｓ１とを、互いに異なる位置に有する。接触面Ｓ１は、溝３９Ａの内面である。接触面Ｓ１は、フランジ受け部材３２Ａがドラムフレーム３１Ｋに取り付けられた状態で、軸線方向において、第１側壁３４Ａと第２側壁３４Ｂ（図３参照）との間に位置する。接触面Ｓ１は、フランジ受け部材３２Ａがドラムフレーム３１Ｋに取り付けられた状態で、軸線方向において、第１側壁３４Ａとドラム本体４１Ｋとの間に位置する。接触面Ｓ１は、図８に示すように、ドラムカートリッジ５Ｋがドロワユニット４に装着された状態で、露光ヘッド１３Ｋのボス７２Ａと接触する。これにより、ボス７２Ａは、露光ヘッド１３Ｋを感光ドラム１４Ｋに対して位置決めする。第１フランジ４２Ｋを受ける円筒部３７Ａと、ボス７２Ａと接触する接触面Ｓ１とがフランジ受け部材３２Ａに設けられていることにより、第１フランジ４２Ｋを受ける円筒部３７Ａと、ボス７２Ａと接触する接触面Ｓ１とが別部材に設けられている場合と比較して、部材ごとに誤差が積算されることがなく、露光ヘッド１３Ｋと感光ドラム１４Ｋとの距離について誤差を小さくすることができる。
【００４２】
ここで、「露光ヘッド１３Ｋを感光ドラム１４Ｋに対して位置決めする」とは、ボス７２Ａと接触面Ｓ１との接触により、露光ヘッド１３Ｋと感光ドラム１４Ｋとの距離が一定に保たれた状態で、露光ヘッド１３Ｋを、感光ドラム１４Ｋに対して移動しないようにすることを意味する。つまり、「露光ヘッド１３Ｋを感光ドラム１４Ｋに対して位置決めする」とは、露光ヘッド１３Ｋと感光ドラム１４Ｋとを、ねじによる固定や接着剤による接着などで移動しないようにすることを意味しない。
【００４３】
ガイド面Ｓ２は、ドラムカートリッジ５Ｋがドロワユニット４に装着されるときに、ボス７２Ａを接触面Ｓ１へガイドする。ガイド面Ｓ２は、移動方向において、接触面Ｓ１に対して帯電器１５Ｋと反対側に位置する。ガイド面Ｓ２は、ドラムカートリッジ５Ｋがドロワユニット４に装着されるときのドラムカートリッジ５Ｋの回転方向において、接触面Ｓ１の下流側に位置する。ガイド面Ｓ２は、接触面Ｓ１に連続する。なお、ガイド面Ｓ２は、ドラムカートリッジ５Ｋがドロワユニット４に装着されるときのドラムカートリッジ５Ｋの回転方向において、第１側壁３４Ａの縁Ｅよりも下流側に位置する。これにより、ガイド面Ｓ２がボス７２Ａをガイドするとき、ボス７２Ａは、第１側壁３４Ａに接触しない。ガイド面Ｓ２は、ドラムカートリッジ５Ｋがドロワユニット４に装着されるときのドラムカートリッジ５Ｋの回動に合わせて、ボス７２Ａを、第１側壁３４Ａの縁Ｅに接触させずに接触面Ｓ１へガイドすることができる。同様に、フランジ受け部材３２Ｂ（図３参照）のガイド面Ｓ２がボス７２Ｂ（図５参照）をガイドするとき、ボス７２Ｂは、第２側壁３４Ｂに接触しない。また、ガイド面Ｓ２は、図４に示すように、軸線方向において、第１側壁３４Ａと第２側壁３４Ｂ（図３参照）との間に位置する。
【００４４】
２．３  ハンドル
図３に示すハンドル３３は、ユーザーがドラムカートリッジ５Ｙをドロワユニット４に装着するときに、ユーザーによってつかまれる。ハンドル３３は、ドラムフレーム３１Ｋに設けられる。ハンドル３３は、第１アーム５１と、第２アームと、グリップ５２とを有する。
【００４５】
第１アーム５１は、ドラムフレーム３１Ｋの第１側壁３４Ａから延びる。第１アーム５１は、軸線方向におけるグリップ５２の一端に接続される。
【００４６】
第２アームは、ドラムフレーム３１Ｋの第２側壁３４Ｂから延びる。第２アームは、軸線方向におけるグリップ５２の他端に接続される。
【００４７】
グリップ５２は、ドラムカートリッジ５Ｋがドロワフレーム６０に装着された状態で、上下方向および軸線方向に延びる。グリップ５２は、感光ドラム１４Ｋの径方向において、感光ドラム１４Ｋから離れて位置する。グリップ５２は、リブ５２Ａを有する。リブ５２Ａは、ドラムカートリッジ５Ｋがドロワフレーム６０に接続された状態で、グリップ５２の上端部に位置する。リブ５２Ａは、グリップ５２から感光ドラム１４Ｋに向かって突出する。リブ５２Ａは、軸線方向に延びる。
【００４８】
図８に示すように、ハンドル３３は、ドラムカートリッジ５Ｋおよび現像カートリッジ６Ｋがドロワフレーム６０に装着され、ドラムカートリッジ５Ｋが第１位置に位置した状態で、現像カートリッジ６Ｋの下方に位置する。これにより、ハンドル３３は、ドラムカートリッジ５Ｋおよび現像カートリッジ６Ｋがドロワフレーム６０に装着され、ドラムカートリッジ５Ｋが第１位置に位置した状態で、上方から見たときに、現像カートリッジ６Ｋに隠れる。そのため、ユーザーは、ドラムカートリッジ５Ｋよりも先に現像カートリッジ６Ｋを離脱させることを、理解しやすい。なお、第１位置については、後で説明する。
ハンドル３３は、ドラムカートリッジ５Ｋおよびドラムカートリッジ５Ｙがドロワフレーム６０に装着され、ドラムカートリッジ５Ｋが第１位置に位置した状態で、ドラムカートリッジ５Ｋとドラムカートリッジ５Ｙとの間に位置する。
【００４９】
感光ドラム１４Ｋの回転軸線Ａを通りハンドル３３と交差する第１仮想面Ｉ１と、感光ドラム１４Ｋの回転軸線Ａを通り接触面Ｓ１と交差する第２仮想面Ｉ２とが形成する角度θは、９０°以上、１６０°未満である。詳しくは、第１仮想面Ｉ１は、感光ドラム１４Ｋの回転軸線Ａを通りリブ５２Ａと交差する。第２仮想面Ｉ２は、感光ドラム１４Ｋの回転軸線Ａを通り接触面Ｓ１と直交する。角度θが上記上限値未満であると、感光ドラム１４Ｋの周面において転写ユニット７と露光ヘッド１３Ｋとの間に帯電器１５Ｋおよびクリーニング部材１６Ｋ等を感光ドラム１４Ｋに対向するように配置できる。角度θが上記下限値以上であると、現像カートリッジ６Ｋを自由に配置でき、現像カートリッジ６Ｋの着脱の自由度も高くできる。
【００５０】
３．ドロワユニットの詳細
以下、図５から図７を参照して、ドロワユニット４について説明する。
【００５１】
図５に示すように、ドロワユニット４は、上記した複数の露光ヘッド１３Ｋ、１３Ｙ、１３Ｍ、１３Ｃに加えて、ドロワフレーム６０を備える。
【００５２】
ドロワフレーム６０には、複数のドラムカートリッジ５Ｋ、５Ｙ、５Ｍ、５Ｃ、および、複数の現像カートリッジ６Ｋ、６Ｙ、６Ｍ、６Ｃが装着可能である。ドロワフレーム６０は、２つのサイドフレーム６１Ａ、６１Ｂを有する。複数の露光ヘッド１３Ｋ、１３Ｙ、１３Ｍ、１３Ｃは、幅方向において、サイドフレーム６１Ａとサイドフレーム６１Ｂとの間に位置する。幅方向は、移動方向および上下方向と交差する。幅方向は、ドロワフレーム６０にドラムカートリッジ５Ｋおよび現像カートリッジ６Ｋが装着された状態で、軸線方向、および、現像ローラ１７Ｋが延びる方向と同じ方向である。複数のドラムカートリッジ５Ｋ、５Ｙ、５Ｍ、５Ｃ、および、複数の現像カートリッジ６Ｋ、６Ｙ、６Ｍ、６Ｃは、ドロワユニット４に装着された状態で、サイドフレーム６１Ａとサイドフレーム６１Ｂとの間に位置する。サイドフレーム６１Ａおよびサイドフレーム６１Ｂのそれぞれは、移動方向に延びる。サイドフレーム６１Ａおよびサイドフレーム６１Ｂのそれぞれは、平板形状を有する。図６に示すように、サイドフレーム６１Ａは、複数のドラムガイド６２Ｋ、６２Ｙ、６２Ｍ、６２Ｃと、複数の現像ガイド６３Ｋ、６３Ｙ、６３Ｍ、６３Ｃとを有する。すなわち、ドロワフレーム６０は、ドラムガイド６２Ｋと、現像ガイド６３Ｋとを有する。なお、サイドフレーム６１Ｂは、サイドフレーム６１Ａと同じ構造を有し、サイドフレーム６１Ａと同様に説明される。そのため、サイドフレーム６１Ｂの説明は、省略される。
【００５３】
３．１  複数のドラムガイド
複数のドラムガイド６２Ｋ、６２Ｙ、６２Ｍ、６２Ｃは、移動方向において、互いに間隔を空けて並ぶ。
【００５４】
ドラムガイド６２Ｋは、ドラムカートリッジ５Ｋの装着をガイドする。ドラムガイド６２Ｋは、ドラムカートリッジ５Ｋがドロワユニット４に装着されるときに、感光ドラム１４Ｋ（図１参照）が露光ヘッド１３Ｋの下方に位置するまで、ドラムカートリッジ５Ｋのフランジ受け部材３２Ａの円筒部３７Ａ（図３参照）をガイドする。ドラムカートリッジ５Ｋがドロワユニット４に装着されるときに、ドラムガイド６２Ｋには、ドラムカートリッジ５Ｋのフランジ受け部材３２Ａの円筒部３７Ａが、嵌まる。ドラムガイド６２Ｋは、溝である。ドラムガイド６２Ｋは、凹部である。ドラムガイド６２Ｋは、幅方向において、サイドフレーム６１Ｂ（図５参照）から離れる方向に凹む。
【００５５】
ドラムガイド６２Ｋは、第１部分６２１、第２部分６２２、第３部分６２３を有する。第１部分６２１は、移動方向において、露光ヘッド１３Ｋと露光ヘッド１３Ｙとの間に位置する。第１部分６２１は、上下方向に延びる。第２部分６２２は、第１部分６２１の下端部から延びる。第２部分６２２は、移動方向に対して傾斜する。詳しくは、第２部分６２２は、移動方向において露光ヘッド１３Ｋに近づくにつれて、下方に向かって傾斜する。言い換えると、移動方向における第２部分６２２と露光ヘッド１３Ｋとの距離は、下方に向かうほど短くなる。第３部分６２３は、第２部分６２２の下端部から延びる。第３部分６２３は、露光ヘッド１３Ｋの下方に位置する。第３部分６２３は、移動方向に延びる。
【００５６】
なお、ドラムガイド６２Ｙは、ドラムカートリッジ５Ｙの装着をガイドする。ドラムガイド６２Ｙは、移動方向において、露光ヘッド１３Ｙと露光ヘッド１３Ｍとの間に位置する。ドラムガイド６２Ｍは、ドラムカートリッジ５Ｍの装着をガイドする。ドラムガイド６２Ｍは、移動方向において、露光ヘッド１３Ｍと露光ヘッド１３Ｃとの間に位置する。ドラムガイド６２Ｃは、ドラムカートリッジ５Ｃの装着をガイドする。ドラムガイド６２Ｃは、移動方向において、露光ヘッド１３Ｃに対して露光ヘッド１３Ｍの反対側に位置する。ドラムガイド６２Ｙ、６２Ｍ、６２Ｃのそれぞれは、ドラムガイド６２Ｋと同じ構造を有し、ドラムガイド６２Ｋと同様に説明される。そのため、ドラムガイド６２Ｙ、６２Ｍ、６２Ｃについての説明は、省略される。
【００５７】
３．２  複数の現像ガイド
複数の現像ガイド６３Ｋ、６３Ｙ、６３Ｍ、６３Ｃは、移動方向において、互いに間隔を空けて並ぶ。
【００５８】
現像ガイド６３Ｋは、現像カートリッジ６Ｋの装着をガイドする。現像ガイド６３Ｋは、貫通穴である。なお、現像ガイド６３Ｋは、溝であってもよい。現像ガイド６３Ｋは、移動方向において、露光ヘッド１３Ｋに対して、ドラムガイド６２Ｋと同じ側に位置する。これにより、ドラムカートリッジ５Ｋは、移動方向において、露光ヘッド１３Ｋに対して、現像カートリッジ６Ｋと同じ側から装着可能である。
【００５９】
現像ガイド６３Ｋは、第１部分６３１と、第２部分６３２とを有する。第１部分６３１は、移動方向において、露光ヘッド１３Ｋと露光ヘッド１３Ｙとの間に位置する。第１部分６３１は、上下方向に延びる。第１部分６３１は、移動方向において、ドラムガイド６２Ｋの第１部分６２１と同じ位置に位置する。すなわち、第１部分６３１は、軸線方向において、ドラムガイド６２Ｋの第１部分６２１と重なる。言い換えると、ドラムガイド６２Ｋの一部は、軸線方向において、現像ガイド６３Ｋの一部と重なる。第２部分６３２は、第１部分６３１の下端部から延びる。第２部分６３２は、移動方向に対して傾斜する。
詳しくは、第２部分６３２は、移動方向において露光ヘッド１３Ｋに近づくにつれて、下方に向かって傾斜する。言い換えると、移動方向における第２部分６３２と露光ヘッド１３Ｋとの距離は、下方に向かうほど短くなる。第２部分６３２は、軸線方向において、ドラムガイド６２Ｋの第２部分６２２と重なる。
【００６０】
なお、現像ガイド６３Ｙは、現像カートリッジ６Ｙの装着をガイドする。現像ガイド６３Ｍは、現像カートリッジ６Ｍの装着をガイドする。現像ガイド６３Ｃは、現像カートリッジ６Ｃの装着をガイドする。現像ガイド６３Ｙ、６３Ｍ、６３Ｃのそれぞれは、現像ガイド６３Ｋと同じ構造を有し、現像ガイド６３Ｋと同様に説明される。そのため、現像ガイド６３Ｙ、６３Ｍ、６３Ｃについての説明は、省略される。
【００６１】
３．３  露光ヘッド
露光ヘッド１３Ｋは、図５に示すように、ドロワフレーム６０に支持される。露光ヘッド１３Ｋは、ドロワユニット４の幅方向に延びる。露光ヘッド１３Ｋは、露光フレーム７１Ｋと、ＬＥＤアレイと、ボス７２Ａと、ボス７２Ｂとを備える。ＬＥＤアレイは、図示されていない。なお、ＬＥＤアレイは、ドラムカートリッジ５Ｋがドロワユニット４に装着された状態で、感光ドラム１４Ｋに対して、所定の間隔を空ける。ＬＥＤアレイは、複数のＬＥＤを有する。複数のＬＥＤは、ドロワユニット４の幅方向に並ぶ。すなわち、複数のＬＥＤは、ドラムカートリッジ５Ｋがドロワユニット４に装着された状態で、軸線方向に並ぶ。
【００６２】
露光フレーム７１Ｋは、ＬＥＤアレイを収容する。露光フレーム７１Ｋは、ドロワユニット４の幅方向に延びる。露光フレーム７１Ｋは、筒形状を有する。露光フレーム７１Ｋは、ドロワユニット４の幅方向において、サイドフレーム６１Ａとサイドフレーム６１Ｂとの間に位置する。露光フレーム７１Ｋは、ドロワユニット４の幅方向において、サイドフレーム６１Ａに対して間隔を空けて位置する。露光フレーム７１Ｋは、ドロワユニット４の幅方向において、サイドフレーム６１Ｂに対して間隔を空けて位置する。
【００６３】
ボス７２Ａは、ドロワユニット４の幅方向において、露光フレーム７１Ｋとサイドフレーム６１Ａとの間に位置する。ボス７２Ａは、露光フレーム７１Ｋから延びる。ボス７２Ａは、ドロワユニット４の幅方向に延びる。すなわち、ボス７２Ａは、ドラムカートリッジ５Ｋがドロワユニット４に装着された状態で、軸線方向に延びる。ボス７２Ａは、円柱である。ボス７２Ａが円柱であることにより、フランジ受け部材３２Ａの接触面Ｓ１に対してボス７２Ａを安定に接触させることができる。そのため、ボス７２Ａを作るときに過度な精度を要求されず、ボス７２Ａを容易に作ることができる。ボス７２Ａは、サイドフレーム６１Ａの長穴７３（図７参照）に嵌まる。長穴７３は、上下方向に延びる。
【００６４】
ボス７２Ｂは、ドロワユニット４の幅方向において、露光フレーム７１Ｋとサイドフレーム６１Ｂとの間に位置する。ボス７２Ｂは、ボス７２Ａと同じ形状を有する。ボス７２Ｂは、サイドフレーム６１Ｂの長穴に嵌まる。サイドフレーム６１Ｂの長穴は、図示されていない。サイドフレーム６１Ｂの長穴は、長穴７３と同じ形状を有する。
【００６５】
露光ヘッド１３Ｋは、ボス７２Ａがサイドフレーム６１Ａの長穴７３に嵌まり、ボス７２Ｂがサイドフレーム６１Ｂの長穴に嵌まることにより、ドロワユニット４に支持される。露光ヘッド１３Ｋは、ボス７２Ａがサイドフレーム６１Ａの長穴７３によってガイドされるとともに、ボス７２Ｂがサイドフレーム６１Ｂの長穴によってガイドされることにより、ドロワユニット４に対して上下方向に移動可能である。なお、ドロワユニット４に対する露光ヘッド１３Ｋの移動は、ドラムカートリッジ５Ｋがドロワユニット４に装着されるときに、感光ドラム１４Ｋに対する露光ヘッド１３Ｋの位置を微調整するための移動である。
【００６６】
露光ヘッド１３Ｙ、１３Ｍ、１３Ｃのそれぞれは、露光ヘッド１３Ｋと同じ構造を有し、露光ヘッド１３Ｋと同様に説明される。そのため、露光ヘッド１３Ｙ、１３Ｍ、１３Ｃについての説明は、省略される。
【００６７】
３．４  押圧部材およびバネ
図７に示すように、ドロワフレーム６０は、押圧部材７４Ｋと、バネ７５Ｋとを備える。
【００６８】
押圧部材７４Ｋは、ドラムカートリッジ５Ｋがドロワフレーム６０に装着された状態で、ボス７２Ａが接触面Ｓ１（図８参照）に接触するように、露光ヘッド１３Ｋを押圧する。具体的には、押圧部材７４Ｋは、バネ７５Ｋによって下方に向かって押圧されることにより、ボス７２Ａを下方に向かって押圧する。押圧部材７４Ｋは、ボス７２Ａの上方に位置する。押圧部材７４Ｋは、ボス７２Ａに接触する。押圧部材７４Ｋは、移動方向に延びる。押圧部材７４Ｋは、板形状を有する。押圧部材７４Ｋは、サイドフレーム６１Ａに取り付けられる。押圧部材７４Ｋは、サイドフレーム６１Ａに対して、上下方向に移動可能である。ドロワフレーム６０が押圧部材７４Ｋを備えることにより、ボス７２Ａを接触面Ｓ１に位置決めすることができる。
【００６９】
バネ７５Ｋは、押圧部材７４Ｋをボス７２Ａに向かって押圧する。バネ７５Ｋは、サイドフレーム６１Ａに取り付けられる。バネ７５Ｋは、押圧部材７４Ｋに対して、ボス７２Ａの反対側に位置する。バネ７５Ｋは、押圧部材７４Ｋに接触する。
【００７０】
なお、ドロワユニット４は、露光ヘッド１３Ｙを押圧するための押圧部材およびバネと、露光ヘッド１３Ｍを押圧するための押圧部材およびバネと、露光ヘッド１３Ｃを押圧するための押圧部材およびバネとを、さらに備える。これらの押圧部材のそれぞれは、押圧部材７４Ｋと同じ構造を有し、押圧部材７４Ｋと同様に説明される。また、これらのバネのそれぞれは、バネ７５Ｋと同じ構造を有し、バネ７５Ｋと同様に説明される。そのため、これらの押圧部材およびバネについての説明は、省略される。
【００７１】
４．ドロワユニットからのドラムカートリッジの離脱
以下、図８から図１１を参照して、ドロワユニットからのドラムカートリッジの離脱について説明する。
【００７２】
まず、図８に示すように、ユーザーは、ドロワフレーム６０が外部位置にあるときに、現像カートリッジ６Ｋをドロワユニット４から引き抜く。
【００７３】
すると、現像カートリッジ６Ｋは、現像ガイド６３Ｋによってガイドされて、露光ヘッド１３Ｋと露光ヘッド１３Ｙとの間を通って、ドロワユニット４から離脱する。
【００７４】
次いで、ユーザーは、図９および図１０に示すように、フランジ受け部材３２Ａの円筒部３７Ａを中心として、接触面Ｓ１がボス７２Ａから離れるように、ドラムカートリッジ５Ｋを回転させる。なお、接触面Ｓ１がボス７２Ａと接触しているときのドラムカートリッジ５Ｋの位置（図９参照）が、第１位置である。ドラムカートリッジ５Ｋが第１位置に位置するとき、感光ドラム１４Ｋに対して露光ヘッド１３Ｋが位置決めされ、ドロワフレーム６０からの離脱が不能である。ドラムカートリッジ５Ｋが第１位置に位置するとき、帯電器１５Ｋは、移動方向において、露光ヘッド１３Ｋに対して、ドラムガイド６２Ｋの第１部分６２１の反対側に位置する。また、接触面Ｓ１がボス７２Ａから離れているときのドラムカートリッジ５Ｋの位置（図１０参照）が、第２位置である。ドラムカートリッジ５Ｋが第２位置に位置するとき、感光ドラム１４Ｋに対して露光ヘッド１３Ｋの位置決めが解除され、ドロワフレーム６０からの離脱が可能である。すなわち、ドラムカートリッジ５Ｋは、ドロワフレーム６０が外部位置にあるときに、ドロワフレーム６０に装着された状態で、第１位置（図９参照）と、第２位置（図１０参照）との間を回動可能である。なお、このときのドラムカートリッジ５Ｋの回転方向は、感光ドラム１４Ｋの回転方向と反対の方向である。また、ドラムカートリッジ５Ｋが第２位置に位置するとき、帯電器１５Ｋは、露光ヘッド１３Ｋよりも下方に位置する。また、ドラムカートリッジ５Ｋが第２位置に位置するとき、ドラムカートリッジ５Ｋの第１側壁３４Ａは、露光ヘッド１３Ｋのボス７２Ａよりも下方に位置する。
【００７５】
次いで、ユーザーは、図１１に示すように、ドロワフレーム６０からの離脱が可能となったドラムカートリッジ５Ｋを、ドロワユニット４から引き抜く。
【００７６】
すると、ドラムカートリッジ５Ｋは、ドラムガイド６２Ｋの第３部分６２３によってガイドされることにより、移動方向に移動する。このとき、帯電器１５Ｋは、露光ヘッド１３Ｋの下方を通過する。また、ドラムカートリッジ５Ｋの第１側壁３４Ａは、露光ヘッド１３Ｋのボス７２Ａの下方を通過する。
【００７７】
その後、ドラムカートリッジ５Ｋは、ドラムガイド６２Ｋの第２部分６２２および第１部分６２１によってガイドされることにより、露光ヘッド１３Ｋと露光ヘッド１３Ｙとの間を通過して、ドロワユニット４から離脱する。
【００７８】
５．ドロワユニットに対するドラムカートリッジの装着
以下、図８から図１１を参照して、ドロワユニットに対するドラムカートリッジの装着について説明する。
【００７９】
まず、図１１に示すように、ユーザーは、ドロワフレーム６０が外部位置にあるときに、ドラムカートリッジ５Ｋを、ドラムガイド６２Ｋの第２部分６２２および第３部分６２３によってガイドさせ、露光ヘッド１３Ｋと露光ヘッド１３Ｙとの間を通過して、図１０に示すように、ドロワユニット４に装着する。このとき、帯電器１５Ｋは、露光ヘッド１３Ｋの下方を通過する。また、ドラムカートリッジ５Ｋの第１側壁３４Ａは、露光ヘッド１３Ｋのボス７２Ａの下方を通過する。
【００８０】
次いで、ユーザーは、図９に示すように、ボス７２Ａが接触面Ｓ１に接触するように、フランジ受け部材３２Ａの円筒部３７Ａを中心として、第２位置（図１０参照）から第１位置（図９参照）へ向かってドラムカートリッジ５Ｋを回転させる。ドラムカートリッジ５Ｋが第２位置から第１位置へと移動するときに、ボス７２Ａがガイド面Ｓ２に接触し、ガイド面Ｓ２がボス７２Ａを接触面Ｓ１へとガイドする。ガイド面Ｓ２がボス７２Ａをガイドするとき、ボス７２Ａは、第１側壁３４Ａに接触しない。ガイド面Ｓ２は、ドラムカートリッジ５Ｋがドロワユニット４に装着されるときのドラムカートリッジ５Ｋの回転方向において、第１側壁３４Ａの縁Ｅよりも下流側に位置するからである。
【００８１】
そして、ユーザーは、図８に示すように、ドロワフレーム６０に現像カートリッジ６Ｋを、装着する。
【００８２】
６．作用効果
この画像形成装置１によれば、図９および図１０に示すように、ドラムカートリッジ５Ｋを第１位置（図９参照）から第２位置（図１０参照）へ回動させることにより、感光ドラム１４Ｋに対する露光ヘッド１３Ｋの位置決めが解除されるとともに、ドロワフレーム６０に対するドラムカートリッジ５Ｋの離脱が可能になる。
【００８３】
これにより、ドラムカートリッジ５Ｋが第２位置に位置した後、露光ヘッド１３Ｋを避けるように、ドラムカートリッジ５Ｋを離脱できる。
【００８４】
また、ドラムカートリッジ５Ｋをドロワフレーム６０に装着する場合、ドラムカートリッジ５Ｋを、露光ヘッド１３Ｋを避けるようにドロワフレーム６０に装着し、第２位置に位置させた後、第１位置へ回動させることにより、露光ヘッド１３Ｋを避けて、ドラムカートリッジ５Ｋを装着できる。
【００８５】
その結果、露光ヘッド１３Ｋを備えるドロワユニット４に対して、露光ヘッド１３Ｋを避けてドラムカートリッジ５Ｋを着脱できる。
【００８６】
７．変形例
押圧部材７４Ｋおよびバネ７５Ｋは、ドラムカートリッジ５Ｋに設けられてもよい。
【００８７】
また、押圧部材７４Ｋは、例えば、トーションバネなどのバネであってもよい。この場合、ドロワユニット４は、押圧部材７４Ｋを押圧するためのバネ７５Ｋを備えない。
【符号の説明】
【００８８】
１      画像形成装置
４      ドロワユニット
５Ｋ    ドラムカートリッジ
５Ｙ    ドラムカートリッジ
６Ｋ    現像カートリッジ
１３Ｋ  露光ヘッド
１４Ｋ  感光ドラム
１４Ｙ  感光ドラム
１５Ｋ  帯電器
３２Ａ  フランジ受け部材
３３    ハンドル
３４Ａ  第１側壁
３４Ｂ  第２側壁
４２Ｋ  第１フランジ
６０    ドロワフレーム
６２Ｋ  ドラムガイド
６３Ｋ  現像ガイド
７２Ａ  ボス
７４Ｋ  押圧部材
Ａ      回転軸線
Ｉ１    第１仮想面
Ｉ２    第２仮想面
Ｓ１    接触面
Ｓ２    ガイド面
θ    角度
【図１】
2019095774.tif 000003
【図２】
2019095774.tif 000004
【図３】
2019095774.tif 000005
【図４】
2019095774.tif 000006
【図５】
2019095774.tif 000007
【図６】
2019095774.tif 000008
【図７】
2019095774.tif 000009
【図８】
2019095774.tif 000010
【図９】
2019095774.tif 000011
【図１０】
2019095774.tif 000012
【図１１】
2019095774.tif 000013